(57)【特許請求の範囲】
【請求項１】
回動するエンドレス部材に複数の支持台を設け、帆立て貝の耳部を内側にして前記支持台に対称に保持させる貝取付ステーションと、一方の貝の耳部にピン孔を加工する第１孔あけステーションと、他方の貝の耳部にピン孔を加工する第２孔あけステーションと、引っかけ鉤をそなえ養殖用ロープに挿通された可撓性の吊りピンをＵ字状に屈曲させ、両端を前記加工された貝の孔にそれぞれ同時に挿入させる吊りピン挿入ステーションを、エンドレス部材の回動方向に順次別個の位置に設けたことを特徴とする帆立て貝取付装置。
【請求項２】
回動するエンドレス部材が複数の支持台を等間隔にそなえて上層側と下層側に循環し、帆立て貝の耳部を内側にして前記支持台に対称に保持させる貝取付ステーションと、一方の貝の耳部にピン孔を加工する第１孔あけステーションと、他方の貝の耳部にピン孔を加工する第２孔あけステーションが上層側に配置され、引っかけ鉤をそなえ養殖用ロープに挿通された可撓性の吊りピンをＵ字状に屈曲させ、両端を前記加工された孔にそれぞれ同時に挿入させるピン挿入ステーションが、上層側から下層側に回動する位置に設けられたことを特徴とする帆立て貝取付装置。
【発明の詳細な説明】
【０００１】
【発明の属する技術分野】
本発明は、帆立て貝の養殖用ロープに貝を耳吊りするための装置に関する。
【０００２】
【従来の技術】
帆立て貝（以下、単に貝という）の養殖には、貝の耳部に小さな孔を設け、養殖用のロープに横方向に貫通させた細いひもあるいは金属線を前記小孔に通して結ぴつけており、たとえば特開昭６２−１２３３２６号のように、貝の孔あけ位置にロープを送って貝とロープに同時に孔をあけて、その位置で吊りひもを通すようにしており、通したひもを糸とじ機に導いて糸とじするようにしている。
しかし、ロープに通したひもや金属線は、糸とじをしたり、折り曲げる工程が必要であるため面倒であった。
このため、図６に示すように両端に引っかけ鉤１２１と抜け止め突起１２２をそなえた合成樹脂製の吊りピン１２を養殖用ロープ１０に挿通し、吊りピンの両端に貝を挿入するようにしたものが用いられるようになった。このような鉤付きの吊りピンで貝を吊持させる場合は、実開平３−８５８６１号のように、貝に孔加工する位置に吊りピンを貫通させたロープを送り込み、吊りピンの一方端の引っかけ鉤を貝の孔に挿入し、ロープを半回転させてつぎの孔加工位置で吊りピンの他方端に別の貝を挿入するようにした装置が提案されている。
【０００３】
【発明が解決しようとする課題】
しかし、このように吊りピンを反転させるため、ロープがねじれたり、吊りピンの両端に別の位置で貝を挿入するので貝の取り付けに要する時間が長くなり、片方に挿入した貝の重量で他方の貝を取り付けるときに、吊りピンが傾くなどピンの位置決めが面倒になる欠点がある。
【０００４】
【課題を解決するための手段】
本発明は、本出願人が先に特願平６−１８２９１２号により提案したように、合成樹脂の撓み力を利用して吊りピンの両端を同じ方向に屈曲させ、両端を同時にそれぞれ別の貝に挿入するようにした取付装置を用い、養殖用ロープを孔あけ位置に送り込むことなく、ピン孔を加工する孔あけ位置とは別の位置で吊りピンを挿入させ、取付作業を効率的に行わせるようにしている。
このため、支持台をそなえて回動するエンドレス部材の回動位置に、順次に２個の帆立て貝を耳部を内側にして対称に保持させる貝取付ステーションと、一方の貝のピン孔を加工する孔あけステーションと、他方の貝の孔あけステーションを設け、前記孔あけステーションとは別の位置に、吊りピン挿入ステーションを設け、前記特願平６−１８２９１２号で提案したと同様に、合成樹脂の撓み力を利用して吊りピンの両端を同じ方向に屈曲させて、両端を同時に別の貝に挿入するピン取付装置を設けている。
【０００５】
【発明の実施の形態】
回動するエンドレス部材に複数の支持台を設け、帆立て貝の耳部を内側にして前記支持台に対称に保持させるための貝取付ステーションと、一方の貝の耳部にピン孔を加工する第１孔あけステーションと、他方の貝の耳部に孔加工する第２孔あけステーションと、引っかけ鉤をそなえた可撓性の吊りピンを養殖用ロープに挿通してＵ字状に屈曲させ、両端を前記加工された貝の孔にそれぞれ同時に挿入させる吊りピン挿入ステーションを、エンドレス部材の回動方向に順次にそれぞれ別の位置に設けるようにし、養殖用ロープが孔あけ位置とは無関係な吊りピン挿入ステーションの位置に送られ、ロープに挿通した吊りピンの両端を同時にそれぞれの貝に挿入させる。
また、回動するエンドレス部材を上層側と下層側に循環させ、貝取付ステーションと第１孔あけステーションおよび第２孔あけステーションを上層側に配置し、ピン挿入ステーションを上層側から下層側に回動する位置に設け、このピン挿入ステーション位置の支持台と、吊りピンをＵ字状に屈曲させて両端をそれぞれの貝に挿入させるピン取付装置との間に、可撓性の吊りピンを挿通させた養殖用ロープを上下方向に配置するようにしている。
【０００６】
【実施例】
これを図に示す実施例について説明する。
１はエンドレス部材で、たとえばチェーンであり、複数個の支持台２を取付脚２１で取り付け、駆動ギヤ３により回動する。４は従動ギヤである。
５は支持台２に設けた貝保持器で、押さえアーム５１を取り付けた操作軸５２をコイルばね５３で押し下げて、押さえアーム５１の先端部を耳受け台５４に押し付けるようにしており、耳受け台から突出させた耳当て座５５に貝１００の耳部の片方の縁と貝本体の縁を当てて位置決めし、この耳部を押さえアーム５１で押さえ付ける。５６は押さえアーム５１の振れを防止するガイドピンで、押さえアーム５１の切り欠ぎ部５７に嵌合させている。５８（図５）はドリルを挿入するために耳受け台５４に設けたドリル孔、５９は貝を保持するクッション材である。
この貝保持器５の耳当て座５５は支持台２に対称に１対設けており、耳受け台５４に設けた１対のドリル孔５８相互が支持台２の進行方向に対して直角方向に位置するようにしている。
上層側から下層側に送られるエンドレス部材１の上層側に、貝取付ステーションＡ、第１孔あけステーションＢ、第２孔あけステーションＣを設け、上層側から下層側へ回動する横方向の支持台が垂直方向になる位置に吊りピン挿入ステーションＤを設けており、各ステーションに支持台が同時に停止し、間欠的に移動するようにしてある。
【０００７】
６は貝取付ステーションＡに設けたアクチエータで、この位置で停止した支持台２の操作軸５２を押し上げ、支持台２が貝取付ステーションＡから移動する前に操作軸５２を下げる。このアクチエータ６により操作軸５２を介して押さえアーム５１が上昇している間に、２個の貝をそれぞれ耳当て座５５に合わせて位置決めさせ耳部を耳受け台５４の上に挿入し、押さえアーム５１の下降によってコイルバネ５３で耳部を挟み支持させる。
７は第１孔あけステーションＢに設けたドリルで、支持台２に支持された一方の貝の耳部にピン孔７１を加工する。
８は第２孔あけステーションＣに設けたドリルで、支持台２に支持された他方の貝の耳部にピン孔７１を加工する。トリル７、８はそれぞれ耳受け台５４のドリル孔５８の位置に加工する。
９は吊りピン挿入ステーションＤに送られた支持台２に保持されている貝のピン孔７１に対向させて設けたピン取付装置、１０はピン取付装置９と支持台２の間に上下方向に送られる養殖用ロープ、１１はロープ送り樋、１２は図６に示した吊りピン、１３は養殖用ロープ１０に横方向から吊りピンを挿入するガイド針で、図２では過大に示している。
【０００８】
ピン取付装置９は、養殖用ロープ１０を挟んで支持する上下の支持アーム９１、９２をそなえており、支持アームは養殖用ロープとの接触面に突起ピンを設けてロープのずれを防止するようにしておくと支持を確実にすることができる。支持アーム９１、９２が養殖用ロープ１０を挟むと、ガイド針１３が図示しない吊りピン供給装置から送られる吊りピン１２をガイド針の溝に保持して養殖用ロープ１０を径方向に貫通して吊りピン１２を装着させる。吊りピン１２が養殖用ロープ１０に図６の状態に挿通されると、ピン取付装置９が養殖用ロープ１０に向かって前進移動し、図５に示すように養殖用ロープ１０を切り割り９４内に挿入させ、切り割り９４の両側に設けたピン溝９５に沿って吊りピン１２をＵ字形に屈曲させて吊りピン１２の先端を、貝１００に加工したピン孔７１相互の間隔に合わせる。この状態で操作ロッド９３が押し出され、養殖用ロープ１０とともに吊りピン１２を前進させて、同じ方向に向けられた吊りピン１２両端の引っかけ鉤１２１を支持台２に保持された２個の貝１００に加工したピン孔７１に同時に挿入させる。吊りピンの挿入が終わるとピン取付装置９は後退して養殖用ロープ１０を切り割り９４から脱出させる。
１４は吊りピン挿入ステーションＤに設けたアクチエータで、ピン取付装置９により貝のピン孔７１に吊りピン１２が挿入され、ピン取付装置９が後退して取り付けが終わると、支持台２の操作軸５２を押し上げて貝１００を押さえアーム５１から解放させる。このアクチエータの動作とともに、エンドレス部材１が回動してつぎの支持台が送られる。１５は養殖用ロープ１０の引き下げ装置で、アクチエータ１４が貝１００を支持台２から離すと、養殖用ロープ１０を挟んで一定量引き下げるようにしている。
【０００９】
なお、養殖用ロープ１０にはロープ送り樋１１の端部などに図示しないロープ押さえを設けることによりバックテンションを加えることが望ましい。
また、上述の実施例では、エンドレス部材１をチェーンで構成しているが、ベルトなどを用いることもでき、また、エンドレス部材が平面状に循環するようにし、支持台を上向きにして貝を保持させ、養殖用ロープを水平方向に供給するようにしてもよい。しかし、実施例のように養殖用ロープが上下方向に供給されることによって、貝を取り付けたロープの自重が送り方向に加わるので、ロープ送りが簡単になる利点がある。
【００１０】
【発明の効果】
このように、回動するエンドレス部材に複数の支持台を設け、この支持台に帆立て貝の耳部を内側にして対称に保持させる取付ステーションと、一方の貝の耳部に孔加工する第１孔あけステーションと、他方の貝の耳部に孔加工する第２孔あけステーションと、養殖用ロープに挿通され引っかけ鉤を有する可撓性の吊りピンをＵ字状に屈曲させて両端を前記加工された貝の孔にそれぞれ挿入させる吊りピン挿入ステーションを、エンドレス部材の回動方向に順次別個の位置に設けているため、吊りピン挿入ステーションの養殖用ロープを他のステーションに関係のない位置に設置でき、各ステーションにおける作業が単純化され、構成を簡単にし、作業が確実に行われる。また、孔あけをした位置で貝に吊りピンを取り付ける場合のように、養殖用ロープのねじれを生じることがなく、吊りピン挿入ステーションを孔あけステーションとは別の位置に設けることによって、支持台の貝に向けて養殖用ロープを挟んでピン取付装置を設置でき、吊りピンを屈曲させて２個の貝に同時に挿入することが可能になり、貝の取付時間を短縮できるとともに、養殖用ロープにドリルによる孔あけをしないのでロープの損傷がなく、養殖用ロープの寿命が長くなるなどの効果が得られる。
【００１１】
また、エンドレス部材が上層と下層に循環するようにし、貝取付ステーションと第１孔あけステーションおよび第２孔あけステーションをエンドレス部材の上層側に配置し、吊りピン挿入ステーションを上層側から下層側に回動する横位置に設けることにより、養殖用ロープを上から下向きに供給でき、養殖用ロープの供給が簡単になり、ロープの自重と取り付けられた貝により張力が加わってロープのたるみをなくし、吊りピンの挿入およびロープ送りを確実に行わせることができる。
【図面の簡単な説明】
【図１】本発明の実施例を簡略に示した側断面図である。
【図２】図１の吊りピン挿入ステーション部分の上面図である。
【図３】片方の貝を保持した状態を示す支持台の上面図である。
【図４】貝を保持した状態の支持台の側面図である。
【図５】吊りピンの挿入状態を示す断面図である。
【図６】養殖用ロープに挿通した吊りピンの側面図である。
【符号の説明】
１  エンドレス部材
２  支持台
３  駆動ギヤ
５  貝保持器
６  アクチエータ
７、８  ドリル
９  ピン取付装置
１０  養殖用ロープ
１１  ロープ送り樋
１２  吊りピン
１３  ガイド針
１４  アクチエータ
１５  引き下げ装置
２１  取付脚
５１  押さえアーム
５２  操作軸
５３  コイルばね
５４  耳受け台
５５  耳当て座
５６  ガイドピン
５８  ドリル孔
５９  クッション材
７１  ピン孔
９１、９２  支持アーム
９３  操作ロッド
９４  切り割り
９５  ピン溝
１００  貝
Ａ  貝取付ステーション
Ｂ  第１孔あけステーション
Ｃ  第２孔あけステーション
Ｄ  吊りピン挿入ステーション
【図１】
0003540871.tif 000002
【図２】
0003540871.tif 000003
【図３】
0003540871.tif 000004
【図４】
0003540871.tif 000005
【図５】
0003540871.tif 000006
【図６】
0003540871.tif 000007